(57)【特許請求の範囲】
【請求項１】
無線アクセス網との接続を確立した第１のモードと前記無線アクセス網との接続を一時的に解除した第２のモードとを切り替えて動作可能な無線端末装置であって、
前記無線アクセス網に対して送信するデータを生成するデータ処理部と、
前記第２のモード中に前記データ処理部が生成したデータの少なくとも一部を、前記無線アクセス網との接続が解除されている状態で前記無線アクセス網に対して送信される制御メッセージに含めて送信する送信部と、
を備え、
前記制御メッセージに含めて送信するデータの種類は、前記第１のモードから前記第２のモードに切り替わるときに設定される、
ことを特徴とする無線端末装置。
【請求項２】
前記送信部は、前記データ処理部が生成したデータの種類に応じて、当該データを前記制御メッセージに含めて送信するか、または、前記第２のモードから前記第１のモードに切り替えて送信することを特徴とする請求項１記載の無線端末装置。
【請求項３】
前記送信部は、前記制御メッセージに含めて送信しない種類を含む複数の種類のデータを纏めて送信する場合は、前記複数の種類のデータを、前記第２のモードから前記第１のモードに切り替えて送信することを特徴とする請求項２記載の無線端末装置。
【請求項４】
前記無線端末装置は、前記第２のモード中は間欠的に前記無線アクセス網から他の制御メッセージを受信し、
前記送信部は、前記他の制御メッセージを受けて、前記データ処理部が生成したデータの少なくとも一部を前記制御メッセージに含めて送信する、
ことを特徴とする請求項１記載の無線端末装置。
【請求項５】
前記データ処理部は、生成したデータをパケット形式に変換し、
前記送信部は、前記パケット形式のデータを前記制御メッセージに含めて送信する、
ことを特徴とする請求項１記載の無線端末装置。
【請求項６】
前記制御メッセージは、レンジング要求メッセージであることを特徴とする請求項１記載の無線端末装置。
【請求項７】
無線アクセス網との接続を確立した第１のモードと前記無線アクセス網との接続を一時的に解除した第２のモードとを切り替えて動作可能な無線端末装置と通信を行う、前記無線アクセス網に設けられる通信装置であって、
前記無線端末装置と前記無線アクセス網との接続が解除されている状態で、前記無線端末装置が前記無線アクセス網に対して送信した制御メッセージを受信する受信部と、
前記受信部が受信した前記制御メッセージに所定の種類のデータが含まれている場合、当該データを他の通信装置に転送する通信制御部と、
を備え、
前記制御メッセージに含めて送信するデータの種類は、前記無線端末装置により、前記第１のモードから前記第２のモードに切り替わるときに設定される、
ことを特徴とする通信装置。
【請求項８】
無線アクセス網との接続を確立した第１のモードと前記無線アクセス網との接続を一時的に解除した第２のモードとを切り替えて動作可能な無線端末装置と、前記無線アクセス網に設けられた通信装置と、を含む無線通信システムであって、
前記無線アクセス網に対して送信するデータを生成するデータ処理部と、前記第２のモード中に前記データ処理部が生成したデータの少なくとも一部を、前記無線アクセス網との接続が解除されている状態で前記無線アクセス網に対して送信される制御メッセージに含めて送信する送信部と、を備える前記無線端末装置と、
前記無線端末装置が送信した前記制御メッセージを受信する受信部と、前記受信部が受信した前記制御メッセージに含まれているデータを抽出する通信制御部と、を備える前記通信装置と、
を備え、
前記制御メッセージに含めて送信するデータの種類は、前記無線端末装置により、前記第１のモードから前記第２のモードに切り替わるときに設定される、
ことを特徴とする無線通信システム。
【請求項９】
無線アクセス網との接続を確立した第１のモードと前記無線アクセス網との接続を一時的に解除した第２のモードとを切り替えて動作可能な無線端末装置と、前記無線アクセス網に設けられた通信装置と、を含む無線通信システムの通信方法であって、
前記無線端末装置が、前記無線アクセス網に対して送信するデータを生成し、
前記無線端末装置が、前記第２のモード中に生成したデータの少なくとも一部を、前記無線アクセス網との接続が解除されている状態で前記無線アクセス網に対して送信される制御メッセージに含めて送信し、
前記通信装置が、前記無線端末装置が送信した前記制御メッセージを受信し、
前記通信装置が、受信した前記制御メッセージに含まれているデータを抽出し、
前記無線端末装置が、前記制御メッセージに含めて送信するデータの種類を、前記第１のモードから前記第２のモードに切り替わるときに設定する、
ことを特徴とする通信方法。
【発明の詳細な説明】
【技術分野】
【０００１】
本発明は無線端末装置、通信装置、無線通信システムおよび通信方法に関する。
【背景技術】
【０００２】
現在、携帯電話システムや無線ＭＡＮ（Metropolitan Area Network）、無線ＬＡＮ（Local Area Network）などの無線通信システムが広く利用されている。例えば、Ｗｉ−Ｆｉ（ＩＥＥＥ８０２．１１）、ＺｉｇＢｅｅ（ＩＥＥＥ８０２．１５．４）、ＷｉＭＡＸ（ＩＥＥＥ８０２．１６）と呼ばれるものが存在する。このような無線通信システムは、様々な用途で利用され得る。例えば、計測機器が、無線アクセス網を介して計測値を報告すること（テレメトリング）も考えられる。テレメトリングの例としては、自動販売機の売上管理、電気・ガス・水道のメータの検針、無人駐車場の課金管理などが考えられる。【０００３】
ところで、無線アクセス網に接続する無線端末装置には、消費電力の抑制が要求されるものがある。そこで、無線通信システムには、無線端末装置が無線アクセス網に接続した後、トラフィックが発生しない期間は一時的に接続を解除して省電力化を図ることができるものがある。例えば、ＷｉＭＡＸでは、無線端末装置の動作モードとして、アイドルモードが規定されている。【０００４】
アイドルモードでは、無線アクセス網は、無線端末装置との接続に使用するパラメータ（コンテキスト）を保存した上で、無線端末装置に割り当てたリソースを解放する。アイドルモード中は、無線アクセス網は、下りトラフィックの有無を示すメッセージ（ページングメッセージ）を定期的に報知する。無線端末装置は、受信処理を行わないＵｎａｖａｉｌａｂｌｅ区間とページングメッセージを受信するＡｖａｉｌａｂｌｅ区間とを、トラフィックの発生を検出するまで繰り返す。トラフィックが発生すると、保存しておいたコンテキストを用いて、無線アクセス網と無線端末装置との間で再接続手続きが行われる。【０００５】
なお、携帯電話の回線を用いてデータ通信を行う技術に関して、データ送信端末装置とデータ収集装置との間に無線電話の通話回線が形成されている場合に、データ送信端末装置が、データをダイヤル信号として通話回線に送出する方法が提案されている（例えば、特許文献１参照）。
【先行技術文献】
【特許文献】
【０００６】
【特許文献１】特開２０００−１５２３４０号公報
【発明の概要】
【発明が解決しようとする課題】
【０００７】
しかし、無線アクセス網と無線端末装置との接続を一時的に解除する従来の技術では、無線端末装置と無線アクセス網の間のトラフィックが発生した場合に、データ通信が非効率になる場合がある。【０００８】
すなわち、無線端末装置は、無線アクセス網との接続が一時的に解除されている状態でトラフィックが発生すると、無線アクセス網に再接続し、データ送信が終了すると、無線アクセス網との接続を再び解放するという処理を繰り返すことになる可能性がある。このとき、１回に送信するデータのサイズが比較的小さいと、再接続・解放を繰り返すことのオーバヘッドが問題となる。このオーバヘッドは、例えば、無線リソースの使用量や無線端末装置の消費電力の増大を招くという点で不利となる。【０００９】
本発明はこのような点に鑑みてなされたものであり、無線アクセス網と無線端末装置との接続が一時的に解除された状態からのデータ通信を効率的に行えるようにした無線端末装置、通信装置、無線通信システムおよび通信方法を提供することを目的とする。
【課題を解決するための手段】
【００１０】
上記課題を解決するために、無線アクセス網との接続を確立した第１のモードと無線アクセス網との接続を一時的に解除した第２のモードとを切り替えて動作可能な無線端末装置が提供される。この無線端末装置は、データ処理部と送信部とを有する。データ処理部は、無線アクセス網に対して送信するデータを生成する。送信部は、第２のモード中にデータ処理部が生成したデータの少なくとも一部を、無線アクセス網との接続が解除されている状態で無線アクセス網に対して送信される制御メッセージに含めて送信する。制御メッセージに含めて送信するデータの種類は、第１のモードから第２のモードに切り替わるときに設定される。
【００１１】
また、上記課題を解決するために、無線アクセス網との接続を確立した第１のモードと無線アクセス網との接続を一時的に解除した第２のモードとを切り替えて動作可能な無線端末装置と通信を行う、無線アクセス網に設けられる通信装置が提供される。この通信装置は、受信部と通信制御部とを有する。受信部は、無線端末装置と無線アクセス網との接続が解除されている状態で、無線端末装置が無線アクセス網に対して送信した制御メッセージを受信する。通信制御部は、受信部が受信した制御メッセージに所定の種類のデータが含まれている場合、当該データを他の通信装置に転送する。制御メッセージに含めて送信するデータの種類は、無線端末装置により、第１のモードから第２のモードに切り替わるときに設定される。
【００１２】
また、上記課題を解決するために、無線アクセス網との接続を確立した第１のモードと無線アクセス網との接続を一時的に解除した第２のモードとを切り替えて動作可能な無線端末装置と、無線アクセス網に設けられた通信装置と、を含む無線通信システムが提供される。この無線端末装置は、無線アクセス網に対して送信するデータを生成するデータ処理部と、第２のモード中にデータ処理部が生成したデータの少なくとも一部を、無線アクセス網との接続が解除されている状態で無線アクセス網に対して送信される制御メッセージに含めて送信する送信部と、を備える。通信装置は、無線端末装置が送信した制御メッセージを受信する受信部と、受信部が受信した制御メッセージに含まれているデータを抽出する通信制御部と、を備える。制御メッセージに含めて送信するデータの種類は、無線端末装置により、第１のモードから第２のモードに切り替わるときに設定される。
【００１３】
また、上記課題を解決するために、無線アクセス網との接続を確立した第１のモードと無線アクセス網との接続を一時的に解除した第２のモードとを切り替えて動作可能な無線端末装置と、無線アクセス網に設けられた通信装置と、を含む無線通信システムの通信方法が提供される。この無線通信方法では、無線端末装置が、無線アクセス網に対して送信するデータを生成し、第２のモード中に生成したデータの少なくとも一部を、無線アクセス網との接続が解除されている状態で無線アクセス網に対して送信される制御メッセージに含めて送信する。通信装置が、無線端末装置が送信した制御メッセージを受信し、受信した制御メッセージに含まれているデータを抽出する。無線端末装置が、制御メッセージに含めて送信するデータの種類を、第１のモードから第２のモードに切り替わるときに設定する。
【発明の効果】
【００１４】
上記無線端末装置、通信装置、無線通信システムおよび通信方法によれば、無線アクセス網と無線端末装置との接続が一時的に解除された状態からのデータ通信を効率的に行うことができる。【００１５】
本発明の上記および他の目的、特徴および利点は本発明の例として好ましい実施の形態を表す添付の図面と関連した以下の説明により明らかになるであろう。
【図面の簡単な説明】
【００１６】
【図１】第１の実施の形態の無線通信システムを示す図である。
【図２】第２の実施の形態の無線通信システムを示す図である。
【図３】基地局制御装置を示すブロック図である。
【図４】無線基地局を示すブロック図である。
【図５】無線端末装置を示すブロック図である。
【図６】収集するデータのデータタイプを示す図である。
【図７】転送テーブル（基地局制御装置）の例を示す図である。
【図８】転送テーブル（無線端末装置）の例を示す図である。
【図９】データ転送設定の流れを示すシーケンス図である。
【図１０】シグナリング要求メッセージの例を示す図である。
【図１１】Ｐａｔｈ＿Ｄｅｒｅｇ＿Ｒｅｑメッセージの例を示す第１の図である。
【図１２】Ｐａｔｈ＿Ｄｅｒｅｇ＿Ｒｅｑメッセージの例を示す第２の図である。
【図１３】ＤＲＥＧ−ＣＭＤメッセージの例を示す図である。
【図１４】ＤＲＥＧ−ＲＥＱメッセージの例を示す図である。
【図１５】Ｐａｔｈ＿Ｄｅｒｅｇ＿Ｒｓｐメッセージの例を示す図である。
【図１６】シグナリング応答メッセージの例を示す図である。
【図１７】第２の実施の形態の端末処理を示すフローチャートである。
【図１８】第２の実施の形態の基地局制御処理を示すフローチャートである。
【図１９】第２の実施の形態の第１のデータ転送の流れを示すシーケンス図である。
【図２０】第２の実施の形態の第２のデータ転送の流れを示すシーケンス図である。
【図２１】ＲＮＧ−ＲＥＱメッセージの例を示す図である。
【図２２】ＬＵ−Ｒｅｑメッセージの例を示す図である。
【図２３】レポートメッセージの例を示す図である。
【図２４】無線端末装置への動作指示を示す図である。
【図２５】第３の実施の形態の端末処理を示すフローチャートである。
【図２６】第３の実施の形態の第１のデータ転送の流れを示すシーケンス図である。
【図２７】第３の実施の形態の第２のデータ転送の流れを示すシーケンス図である。
【図２８】ＭＯＢ＿ＰＡＧ−ＡＤＶメッセージの例を示す図である。
【図２９】シグナリング要求メッセージの他の例を示す図である。
【図３０】第４の実施の形態のデータ転送の流れを示すシーケンス図である。
【発明を実施するための形態】
【００１７】
以下、本実施の形態を図面を参照して詳細に説明する。
［第１の実施の形態］
図１は、第１の実施の形態の無線通信システムを示す図である。第１の実施の形態に係る無線通信システムは、無線端末装置１および通信装置２を含む。無線端末装置１は、無線アクセス網に接続してデータ送信を行う端末装置であり、固定端末装置でも移動端末装置でもよい。通信装置２は、無線アクセス網に設けられた装置であり、例えば、無線基地局または無線基地局を制御する基地局制御装置である。
【００１８】
無線端末装置１は、無線アクセス網との接続を確立した第１のモードと、接続を確立した後に無線アクセス網との接続を一時的に解除した第２のモードとを、切り替えて動作することができる。この無線通信システムをＷｉＭＡＸとして実装した場合、例えば、第１のモードはノーマルモード、第２のモードはアイドルモードと考えることができる。無線端末装置１は、第２のモード中は、間欠的に受信処理を停止してもよい。受信処理の停止は、例えば、受信回路への電源供給の停止や受信回路のクロック低下により実現できる。
【００１９】
無線端末装置１は、データ処理部１ａと送信部１ｂとを有する。データ処理部１ａは、無線アクセス網に対して送信するデータを生成する。生成するデータとしては、例えば、テレメトリングにおける測定データが考えられる。送信部１ｂは、第２のモード中にデータ処理部１ａが生成したデータの少なくとも一部を、無線アクセス網との接続が解除されている状態で無線アクセス網に対して送信される制御メッセージ３に含めて送信する。制御メッセージ３としては、例えば、レンジング要求メッセージを用いることができる。
【００２０】
ここで、送信部１ｂは、データ処理部１ａが生成したデータの種類に応じて、データを制御メッセージ３に含めて送信するか、無線アクセス網に再接続して（すなわち、第２のモードから第１のモードに切り替えて）データメッセージとして送信するかを、選択してもよい。例えば、サイズが比較的小さくなる種類のデータを、制御メッセージ３に含めて送信することが考えられる。データの種類と送信方法との対応関係は、無線端末装置１が第１のモードから第２のモードに切り替わるときに設定してもよい。この対応関係は、無線アクセス網から指定される可能性もある。
【００２１】
また、送信部１ｂは、複数の種類のデータを送信する場合に、制御メッセージ３に含めて送信しない種類のデータが一部でも含まれていれば、複数の種類のデータ全部を、第２のモードから第１のモードに切り替えて送信してもよい。これは、一部のデータのみを制御メッセージ３に含めて送信しても、通信効率の改善に寄与しない場合に有効である。また、送信部１ｂは、第２のモード中に無線アクセス網から制御メッセージを受信したことを契機として、データ処理部１ａが生成したデータを送信してもよい。この制御メッセージとしては、例えば、ページングメッセージを用いることができる。
【００２２】
通信装置２は、受信部２ａと通信制御部２ｂとを有する。受信部２ａは、無線端末装置１が送信した制御メッセージ３を受信する。通信装置２が無線基地局である場合、受信部２ａは無線区間で伝送された制御メッセージ３を受信する。通信装置２が基地局制御装置である場合、受信部２ａは無線基地局が転送した制御メッセージ３を受信する。受信部２ａは、更に、無線端末装置１が第１のモードで送信したデータメッセージを受信してもよい。通信制御部２ｂは、受信部２ａが受信した制御メッセージ３に含まれているデータを抽出し、所定の通信装置に転送する。受信部２ａがデータメッセージを受信した場合は、データメッセージを当該所定の通信装置に転送する。
【００２３】
ここで、通信制御部２ｂは、受信部２ａが受信した制御メッセージ３に含まれるデータの種類に応じて、所定の通信装置に転送するか否かを判断してもよい。データの種類と転送可否との対応関係は、無線端末装置１が第１のモードから第２のモードに切り替わるときに設定してもよい。当該対応関係は、無線端末装置１に設定されるものと同一にすることが考えられる。通信制御部２ｂは、無線端末装置１に対して、シグナリングにより、当該対応関係を設定するよう指示してもよい。第１のモードと第２のモードとの切り替えが繰り返し行われるとき、既に上記対応関係が設定済みであれば、再設定しなくてもよい。
【００２４】
このような第１の実施の形態に係る無線通信システムでは、無線端末装置１のデータ処理部１ａにより、無線アクセス網に対して送信するデータが生成される。無線端末装置１の送信部１ｂにより、第２のモード中に生成されたデータの少なくとも一部が、無線アクセス網との接続が解除されている状態で無線アクセス網に対して送信される制御メッセージ３に含めて送信される。通信装置２の受信部２ａにより、無線端末装置１が送信した制御メッセージ３が受信される。通信装置２の通信制御部２ｂにより、制御メッセージ３に含まれているデータが抽出される。
【００２５】
これにより、無線端末装置１から無線アクセス網へのデータ送信を効率化できる。すなわち、無線端末装置１は、無線アクセス網との接続が一時的に解除された第２のモードのまま、データを送信することができ、無線アクセス網と再接続しなくてもよい。よって、再接続に伴う無線リソースの消費を抑制することができると共に、無線端末装置１の消費電力を抑制することができる。また、無線端末装置１と無線アクセス網との間の接続が抑制されることにより、無線基地局が収容可能な無線端末装置の数を増やすことができる。
【００２６】
以下に説明する第２〜第４の実施の形態では、第１の実施の形態で述べた通信方法を、ＩＥＥＥ８０２．１６ｅ−２００５以降のＷｉＭＡＸの仕様に準拠した無線通信システムに適用した場合を想定する。ただし、第１の実施の形態で述べた通信方法は、他の種類の無線通信システムに適用することも可能である。
【００２７】
［第２の実施の形態］
図２は、第２の実施の形態の無線通信システムを示す図である。第２の実施の形態に係る無線通信システムは、企業サーバ１１、企業ゲートウェイ１２、基地局制御装置２１、無線基地局２２および無線端末装置３１を含む。
【００２８】
企業ネットワーク１０に、企業サーバ１１と企業ゲートウェイ１２が設けられている。企業ネットワーク１０は、家庭やオフィスに設けられたメータを管理する企業のネットワークであり、例えば、ガス会社のネットワークである。無線アクセス網２０に、基地局制御装置２１と無線基地局２２が設けられている。無線アクセス網２０は、例えば、無線通信サービスを提供する通信事業者のネットワークである。無線アクセス網２０は、ＡＳＮ（Access Service Network）と呼ばれることもある。
【００２９】
企業サーバ１１は、テレメトリングにより家庭やオフィスに設けられたメータから各種のデータを収集し管理するサーバ装置（テレメトリングサーバ）である。企業サーバ１１のＩＰ（Internet Protocol）アドレスは、１３３．ＸＸ．１．５０である。企業ゲートウェイ１２は、無線アクセス網２０に接続するためのゲートウェイ装置である。企業サーバ１１は、企業ゲートウェイ１２を介して、基地局制御装置２１と通信を行う。
【００３０】
基地局制御装置２１は、無線基地局２２（および、無線アクセス網２０内の他の無線基地局）を管理する通信装置であり、企業ゲートウェイ１２と接続されている。基地局制御装置２１は、ＡＳＮゲートウェイと呼ばれることもある。基地局制御装置２１は、無線基地局２２から受信する制御情報に基づいて、無線端末装置３１の通信状態を管理する。また、無線基地局２２から受信するデータの少なくとも一部を企業サーバ１１に転送する。基地局制御装置２１のＩＰアドレスは、１３０．ＸＸ．１．１である。
【００３１】
無線基地局２２は、無線端末装置３１（および、他の無線端末装置）と無線通信を行う無線通信装置である。無線基地局２２は、無線端末装置３１から無線リンクを介して受信する制御情報やデータを、基地局制御装置２１に転送する。また、無線基地局２２は、無線端末装置３１のアイドルモード中にコンテキストを保持するページングコントローラとしての機能も備える。無線基地局２２のＩＰアドレスは１３０．ＸＸ．１．１０であり、ＢＳ−ＩＤ（Base Station - IDentification）は０ｘ０Ａ０ＢＸＸ（すなわち、１６進数表記で０Ａ０ＢＸＸ）である。
【００３２】
無線端末装置３１は、測定データを含む各種のデータを無線通信により企業サーバ１１に送信する端末装置（スマートメータ）である。無線端末装置３１は、例えば、ガスの使用状況を測定するモジュールと測定結果を無線送信するモジュールとを含む。無線端末装置３１は、ノーマルモードとアイドルモードを適宜切り替えて動作する。すなわち、送信データが無い期間はアイドルモードで動作し、送信データが生じるとノーマルモードに移行する。ただし、アイドルモードのままでデータを送信できる場合もある。無線端末装置３１のＭＡＣ（Media Access Control）アドレスは、８０：００：０１：Ａ０：０１：ＸＸである。
【００３３】
なお、前述の通り、第２の実施の形態では、無線基地局２２がページングコントローラを兼ねているが、基地局制御装置２１など他の通信装置がページングコントローラを兼ねてもよい。また、ページングコントローラ専用の通信装置を無線アクセス網２０に設けてもよい。また、第２の実施の形態では、無線端末装置３１が測定用モジュールを備えているが、測定機器が無線端末装置３１から分離していてもよい。また、上記説明ではガスの使用状況を測定する例を挙げたが、電気や水道の使用状況を測定することも可能である。
【００３４】
図３は、基地局制御装置を示すブロック図である。基地局制御装置２１は、転送テーブル記憶部２１１、通信制御部２１２、シグナリング処理部２１３および基幹回線通信部２１４を有する。シグナリング処理部２１３は、通信制御部２１２内に設けられている。
【００３５】
転送テーブル記憶部２１１は、転送テーブルを記憶する記憶装置（例えば、メモリ）である。転送テーブルは、データの転送先（第２の実施の形態では、企業サーバ１１）と、当該転送先に転送するデータの種類とを登録したものである。無線端末装置３１がノーマルモードからアイドルモードに移行するときのシグナリングにおいて登録される。
【００３６】
通信制御部２１２は、無線基地局２２を介した無線端末装置３１との通信、および、企業ゲートウェイ１２を介した企業サーバ１１との通信を制御する。例えば、通信制御部２１２は、無線端末装置３１からの制御メッセージを取得すると、制御メッセージに応じた制御処理（位置登録を含む）を行う。更に、転送テーブル記憶部２１１に記憶された転送テーブルを参照し、登録されている種類のデータが制御メッセージに含まれている場合、当該データを含む転送先（企業サーバ１１）宛てのメッセージを生成する。また、無線端末装置３１からのデータメッセージを取得すると、データメッセージの転送処理を行う。
【００３７】
シグナリング処理部２１３は、企業サーバ１１からのシグナリング要求メッセージを取得すると、無線端末装置３１との間でシグナリング、すなわち、アイドルモード中のデータ転送方法を設定するための信号制御を行う。シグナリングは、無線端末装置３１がノーマルモードからアイドルモードに移行する際に行われる。
【００３８】
具体的には、シグナリング処理部２１３は、企業サーバ１１からのシグナリング要求メッセージを取得すると、シグナリング要求メッセージで指定されたデータの種類を示す情報を含む無線基地局２２宛ての制御メッセージを生成する。無線基地局２２から応答の制御メッセージを取得すると、企業サーバ１１のアドレスとシグナリング要求メッセージで指定されたデータの種類とを、転送テーブル記憶部２１１に記憶された転送テーブルに登録する。そして、企業サーバ１１宛てのシグナリング応答メッセージを生成する。
【００３９】
なお、第２の実施の形態では、無線アクセス網２０側からスリープモードへの移行を要求する場合について説明するが、無線端末装置３１からスリープモードへの移行を要求する場合も同様に、スリープモードへの移行時に上記シグナリングを行うことができる。また、シグナリングを、スリープモードへの移行と異なるタイミングで行ってもよい。
【００４０】
基幹回線通信部２１４は、企業ゲートウェイ１２および無線基地局２２とメッセージを送受信する。すなわち、基幹回線通信部２１４は、無線基地局２２から受信した制御メッセージやデータメッセージを通信制御部２１２に出力し、通信制御部２１２が生成した制御メッセージを無線基地局２２に送信する。また、企業ゲートウェイ１２から受信したメッセージを通信制御部２１２に出力し、通信制御部２１２が生成した企業サーバ１１宛てのメッセージや転送するデータメッセージを企業ゲートウェイ１２に送信する。
【００４１】
図４は、無線基地局を示すブロック図である。無線基地局２２は、通信制御部２２１、シグナリング処理部２２２、基幹回線通信部２２３および無線通信部２２４を有する。シグナリング処理部２２２は、通信制御部２２１内に設けられている。
【００４２】
通信制御部２２１は、基地局制御装置２１および無線端末装置３１と制御メッセージを交換し、無線端末装置３１の通信を制御する。例えば、通信制御部２２１は、無線端末装置３１からの制御メッセージを取得すると、制御メッセージの内容に応じて、無線リンクの確立・切断や基地局制御装置２１宛ての制御メッセージの生成を行う。また、無線端末装置３１からのデータメッセージを取得すると基地局制御装置２１への転送処理を行う。
【００４３】
シグナリング処理部２２２は、基地局制御装置２１と無線端末装置３１との間のシグナリングを中継する。シグナリングは、無線端末装置３１がノーマルモードからアイドルモードに移行する際に行われる。シグナリング処理部２２２は、シグナリングの情報を含む基地局制御装置２１からの制御メッセージを取得すると、無線端末装置３１宛ての制御メッセージを生成する。無線端末装置３１からの応答の制御メッセージを取得すると、基地局制御装置２１宛ての制御メッセージを生成する。
【００４４】
基幹回線通信部２２３は、基地局制御装置２１とメッセージを送受信する。すなわち、基幹回線通信部２２３は、基地局制御装置２１から受信した制御メッセージを、通信制御部２２１に出力する。また、通信制御部２２１が生成した制御メッセージや転送するデータメッセージを、基地局制御装置２１に送信する。
【００４５】
無線通信部２２４は、無線端末装置３１と無線リンクを介しメッセージを送受信する。すなわち、無線通信部２２４は、受信信号を無線信号処理して無線端末装置３１が送信した制御メッセージやデータメッセージを抽出し、通信制御部２２１に出力する。また、通信制御部２２１が生成した制御メッセージを送信信号に変換し、無線出力する。
【００４６】
なお、第２の実施の形態では、無線基地局２２は転送テーブルを保持していないが、基地局制御装置２１と同様の転送テーブルを保持するようにしてもよい。その場合、無線基地局２２が備える記憶装置（例えば、メモリ）に転送テーブルを記憶すればよい。また、無線端末装置３１が送信した制御メッセージに所定の種類のデータが含まれているか否かを、基地局制御装置２１の代わりに無線基地局２２が判断してもよいし、基地局制御装置２１と無線基地局２２の両方が判断してもよい。
【００４７】
図５は、無線端末装置を示すブロック図である。無線端末装置３１は、測定部３１１、転送テーブル記憶部３１２、データ処理部３１３、通信制御部３１４、シグナリング処理部３１５、データ送受信部３１６および無線通信部３１７を有する。シグナリング処理部３１５は、通信制御部３１４内に設けられている。
【００４８】
測定部３１１は、監視対象についてのデータを収集する測定機器である。例えば、測定部３１１は、ガスの瞬間使用量や累積使用量などの測定データを収集する。収集するデータの詳細は後述する。測定部３１１は、データ処理部３１３から要求に応じて、収集したデータの一部または全部をデータ処理部３１３に出力する。
【００４９】
転送テーブル記憶部３１２は、転送テーブルを記憶する記憶装置（例えば、メモリ）である。転送テーブルは、ノーマルモードに移行せずにアイドルモードのまま送信することができるデータの種類を登録したものである。無線端末装置３１が保持する転送テーブルの構造は、基地局制御装置２１が保持するものと異なっていてもよい。この転送テーブルには、無線端末装置３１がノーマルモードからアイドルモードに移行するときのシグナリングにおいて、データの種類が登録される。
【００５０】
データ処理部３１３は、測定部３１１から各種のデータを継続的に取得し、転送テーブル記憶部３１２に記憶された転送テーブルを参照して、企業サーバ１１へのデータの送信を制御する。データ処理部３１３には、測定部３１１からデータを取得するタイミングがデータの種類毎に設定されている。データ処理部３１３は、設定されたタイミングでデータを取得すると、転送テーブルに登録された情報と無線端末装置３１の動作モードから、通信制御部３１４とデータ送受信部３１６の何れを介してデータを送信するか選択する。
【００５１】
すなわち、データ処理部３１３は、ノーマルモードで動作している場合、データをパケット形式に変換してデータ送受信部３１６に出力する。アイドルモードで動作しており、取得したデータが転送テーブルに登録されている種類のデータである場合、通信制御部３１４にデータを出力する。それ以外の場合は、データパケットをデータ送受信部３１６に出力すると共に、ノーマルモードへの移行を通信制御部３１４に指示する。
【００５２】
通信制御部３１４は、無線基地局２２との無線通信を制御する。例えば、通信制御部３１４は、無線基地局２２からの制御メッセーを取得すると、制御メッセージに応じた制御処理（無線リンクの確立・切断を含む）を行う。また、通信制御部３１４は、無線基地局２２に送信する制御メッセージを生成する。生成する制御メッセージには、アイドルモード中に位置登録を更新するためのものや、無線アクセス網２０に再接続するためのものが含まれる。前者には、データ処理部３１３から取得したデータが挿入されることがある。
【００５３】
シグナリング処理部３１５は、基地局制御装置２１との間でシグナリングを行う。シグナリングは、無線端末装置３１がノーマルモードからアイドルモードに移行する際に行われる。シグナリング処理部３１５は、シグナリングの情報を含む無線基地局２２からの制御メッセージを取得すると、制御メッセージで指定されたデータの種類を、転送テーブル記憶部３１２に記憶された転送テーブルに登録する。そして、シグナリング処理部３１５は、応答の制御メッセージを生成する。
【００５４】
データ送受信部３１６は、無線アクセス網２０との間でサービスフローを設定し、データメッセージの送受信を制御する。例えば、データ処理部３１３からデータパケットを取得すると、データメッセージを生成して無線通信部３１７に出力する。
【００５５】
無線通信部３１７は、無線基地局２２が送受信する無線フレームに同期し、無線リンクを介してメッセージを送受信する。すなわち、無線通信部３１７は、無線基地局２２からの受信信号を無線信号処理して制御メッセージを抽出し、通信制御部３１４に出力する。また、通信制御部３１４が生成した制御メッセージと、データ送受信部３１６が生成したデータメッセージとを、送信信号に変換して無線出力する。
【００５６】
図６は、収集するデータのデータタイプを示す図である。図６の例では、６個のデータタイプが定義されている。それぞれのデータタイプにＩＤが付与されて識別される。ＩＤとデータタイプとの対応関係は、予め、企業サーバ１１と無線端末装置３１との間で合意されている。また、無線端末装置３１のデータ処理部３１３には、予め、データタイプと取得間隔との対応関係が設定されている。取得間隔は、変更できるようにしてもよい。
【００５７】
ＩＤ＝１は、監視対象（例えば、ガス）の瞬間使用量を意味する。瞬間使用量は２０分毎に取得される。ＩＤ＝２は、監視対象の累積使用量を意味する。累積使用量は２４時間毎に取得される。ＩＤ＝３は、監視対象の利用履歴を意味する。利用履歴には、何時にガスを使用したかなどの各種の統計情報が含まれ得る。利用履歴は３時間毎に取得される。
【００５８】
ＩＤ＝４は、アラームを意味する。アラームは、測定部３１１で異常が検知され次第、取得される。ＩＤ＝５は、監視対象の使用状況を管理するためのファームウェアの版数を意味する。ファームウェアの版数は、必要に応じて（例えば、企業サーバ１１からの要求があったとき）取得される。ＩＤ＝６は、スマートメータそれぞれを識別するための個体識別情報を意味する。個体識別情報は、ＩＤ＝１〜３の測定データと併せて取得される。
【００５９】
図７は、転送テーブル（基地局制御装置）の例を示す図である。転送テーブル２１１ａには、無線端末装置３１から企業サーバ１１へのデータの転送方法が登録される。また、企業サーバ１１から無線端末装置３１への制御情報の転送方法も登録され得る。転送テーブル２１１ａは、基地局制御装置２１の転送テーブル記憶部２１１に記憶されている。転送テーブル２１１ａは、端末アドレス、サーバアドレス、ＴＬＶ（Type Length Value）タイプ、方向およびアクションの項目を含む。
【００６０】
端末アドレスの項目には、無線端末装置３１（または、他の無線端末装置）のＭＡＣアドレスが記載される。サーバアドレスの項目には、企業サーバ１１（または、他のサーバ装置）のＩＰアドレスが記載される。ＴＬＶタイプの項目には、ＴＬＶの種類を示す値が設定される。ＴＬＶは、（型，長さ，値）の組で表される可変長データであり、基地局制御装置２１が受信するメッセージに含まれている場合がある。以下のＴＬＶに関する説明では、１バイトの「型」と１バイトの「長さ」について、言及を省略することがある。
【００６１】
方向の項目には、メッセージの送信方向としてＵＬまたはＤＬが記載される。ＵＬは無線端末装置３１から企業サーバ１１への方向を意味し、ＤＬは企業サーバ１１から無線端末装置３１への方向を意味する。よって、方向＝ＵＬの場合は、端末アドレスが送信元アドレスを意味し、サーバアドレスが宛先アドレスを意味する。方向＝ＤＬの場合は、端末アドレスが宛先アドレスを意味し、サーバアドレスが送信元アドレスを意味する。
【００６２】
アクションの項目には、基地局制御装置２１が（端末アドレス，サーバアドレス，ＴＬＶタイプ，方向）の条件に適合するメッセージを受信したときに行う処理を示す値が記載される。アクション＝０ｘ１０は、サーバ装置宛てのレポートメッセージを生成して送信することを意味する。例えば、ＴＬＶタイプ＝２２１，方向＝ＵＬ，アクション＝０ｘ１０というレコードは、ＴＬＶタイプ＝２２１のＴＬＶを含む制御メッセージを無線端末装置３１から受信すると、ＴＬＶの内容を含むレポートメッセージを生成して企業サーバ１１に送信することを意味する。
【００６３】
図８は、転送テーブル（無線端末装置）の例を示す図である。転送テーブル３１２ａには、無線端末装置３１から企業サーバ１１へのデータの転送方法が登録される。転送テーブル３１２ａは、無線端末装置３１の転送テーブル記憶部３１２に記憶されている。転送テーブル３１２ａは、条件、値、アクションおよびＴＬＶタイプの項目を含む。
【００６４】
条件の項目には、条件判断のタイプを示す値が記載される。条件＝０ｘ１１は、送信するデータのデータタイプが、値の項目に記載されたものに一致するという条件を意味している。値の項目には、条件判断に用いられるパラメータが記載される。パラメータがデータタイプである場合、データタイプのＩＤ（１〜６）が記載される。
【００６５】
アクションの項目には、無線端末装置３１が（条件，値）に適合するデータ送信を行うときに実行する処理を示す値が記載される。アクション＝０ｘ１０は、無線端末装置３１の位置登録を更新する処理（ＬＵ：Location Update）の際に送信される制御メッセージ（ＲＮＧ−ＲＥＱメッセージ）に、データを含めて送信することを意味する。ＴＬＶタイプの項目には、ＴＬＶの種類を示す値が記載される。無線端末装置３１は、ＴＬＶタイプで指定されたＴＬＶとして、データを制御メッセージに挿入する。
【００６６】
例えば、条件＝０ｘ１１，値＝１，アクション＝０ｘ１０，ＴＬＶタイプ＝２２１というレコードは、無線端末装置３１が瞬間使用量のデータを送信する場合、ＴＬＶタイプ＝２２１のＴＬＶとして、ＲＮＧ−ＲＥＱメッセージに含めて送信することを意味する。また、条件＝０ｘ１１，値＝６，アクション＝０ｘ１０，ＴＬＶタイプ＝２２２というレコードは、個体識別情報のデータを送信する場合、ＴＬＶタイプ＝２２２のＴＬＶとして、ＲＮＧ−ＲＥＱメッセージに含めて送信することを意味する。
【００６７】
なお、無線端末装置３１から基地局制御装置２１へのデータ送信に使用するＴＬＶタイプは、スリープモードへの移行の際に基地局制御装置２１が指定してもよいし、予め固定で決めておいてもよい。以下の説明では、基地局制御装置２１がＴＬＶタイプを指定するものとする。また、ＴＬＶタイプを指定しない場合、ＴＬＶタイプの項目に０（ゼロ）を記載してもよい。また、データを制御メッセージに含めて送信するか否かの判断条件に、データサイズに関する条件を設けてもよい。
【００６８】
図９は、データ転送設定の流れを示すシーケンス図である。図９は、無線端末装置３１がノーマルモードからスリープモードに移行する際の手続きを示している。
（ステップＳ１１）  企業サーバ１１は、無線端末装置３１に対するシグナリングの要求を示すシグナリング要求メッセージを、基地局制御装置２１に送信する。シグナリング要求メッセージには、無線端末装置３１がアイドルモード中に制御メッセージに含めて送信することのできるデータの種類についての情報が含まれる。
【００６９】
（ステップＳ１２）  基地局制御装置２１は、無線端末装置３１がノーマルモードであるときに企業サーバ１１からシグナリング要求メッセージを受信すると、制御メッセージであるＰａｔｈ＿Ｄｅｒｅｇ＿Ｒｅｑメッセージを無線基地局２２に送信する。Ｐａｔｈ＿Ｄｅｒｅｇ＿Ｒｅｑメッセージは、無線端末装置３１をアイドルモードへ移行させるためのものである。Ｐａｔｈ＿Ｄｅｒｅｇ＿Ｒｅｑメッセージには、シグナリング要求メッセージの内容に対応するＴＬＶが挿入される。
【００７０】
（ステップＳ１３）  無線基地局２２は、基地局制御装置２１からＰａｔｈ＿Ｄｅｒｅｇ＿Ｒｅｑメッセージを受信すると、制御メッセージであるＤＲＥＧ−ＣＭＤメッセージを無線端末装置３１に送信する。ＤＲＥＧ−ＣＭＤメッセージは、接続を解除してアイドルモードへ移行するよう指示するものである。ＤＲＥＧ−ＣＭＤメッセージには、Ｐａｔｈ＿Ｄｅｒｅｇ＿ＲｅｑメッセージのＴＬＶに対応するＴＬＶが挿入される。
【００７１】
（ステップＳ１４）  無線端末装置３１は、無線基地局２２からＤＲＥＧ−ＣＭＤメッセージを受信すると、ＤＲＥＧ−ＣＭＤメッセージに含まれるＴＬＶの内容を、転送テーブル３１２ａに登録する。
【００７２】
（ステップＳ１５）  無線端末装置３１は、ＤＲＥＧ−ＣＭＤメッセージへの応答として、制御メッセージであるＤＲＥＧ−ＲＥＱメッセージを無線基地局２２に送信する。ＤＲＥＧ−ＲＥＱメッセージには、確認のため、ＤＲＥＧ−ＣＭＤメッセージのＴＬＶに対応するＴＬＶが挿入される。
【００７３】
（ステップＳ１６）  無線端末装置３１は、ノーマルモードからアイドルモードに移行する。すなわち、無線端末装置３１の無線通信部３１７は、無線信号の送受信を停止するＵｎａｖａｉｌａｂｌｅ区間と無線信号の送受信を行うＡｖａｉｌａｂｌｅ区間とを、所定の周期で繰り返す。送受信の停止としては、無線通信部３１７の電源を停止する、クロック周波数を低下させるなどの処理が考えられる。なお、ステップＳ１６の処理は、以下のステップＳ１７〜Ｓ１９の処理よりも先に実行されるとは限らない。
【００７４】
（ステップＳ１７）  無線基地局２２は、無線端末装置３１からＤＲＥＧ−ＲＥＱメッセージを受信すると、制御メッセージであるＰａｔｈ＿Ｄｅｒｅｇ＿Ｒｓｐメッセージを基地局制御装置２１に送信する。Ｐａｔｈ＿Ｄｅｒｅｇ＿Ｒｓｐメッセージには、ＤＲＥＧ−ＲＥＱメッセージのＴＬＶに対応するＴＬＶが挿入される。
【００７５】
（ステップＳ１８）  基地局制御装置２１は、無線基地局２２からＰａｔｈ＿Ｄｅｒｅｇ＿Ｒｓｐメッセージを受信すると、Ｐａｔｈ＿Ｄｅｒｅｇ＿Ｒｓｐメッセージに含まれるＴＬＶの内容（または、ステップＳ１２で受信したシグナリング要求メッセージの内容）を、転送テーブル２１１ａに登録する。なお、ステップＳ１８の処理は、以下のステップＳ１９の処理よりも後に実行してもよい。
【００７６】
（ステップＳ１９）  基地局制御装置２１は、ステップＳ１２で受信したシグナリング要求メッセージへの応答として、シグナリング応答メッセージを企業サーバ１１に送信する。シグナリング応答メッセージには、確認のため、Ｐａｔｈ＿Ｄｅｒｅｇ＿ＲｓｐメッセージのＴＬＶに対応する情報が挿入される。
【００７７】
このように、基地局制御装置２１は、無線基地局２２を介して無線端末装置３１との間でシグナリングを行う。これにより、アイドルモード中に制御メッセージに含めて伝送できるデータの種類が、基地局制御装置２１の転送テーブル２１１ａと無線端末装置３１の転送テーブル３１２ａとに登録される。なお、上記のシグナリングに用いる制御メッセージは一例であり、他の種類の制御メッセージを用いてもよい。また、一度シグナリングを行えば、アイドルモードに移行する毎にシグナリングを行わなくてもよい。
【００７８】
また、図９では無線端末装置３１がアイドルモードに移行する際にシグナリングを行う例を示したが、アイドルモード中にシグナリングを行ってもよい。例えば、企業サーバ１１がアイドルモード中にシグナリング要求メッセージを送信すると、基地局制御装置２１はＰａｇｉｎｇ＿Ａｎｎｏｕｎｃｅメッセージにシグナリングの情報を含めて送信する。無線基地局２２は、ＬＵの要求を示すページングメッセージ（ＭＯＢ＿ＰＡＧ−ＡＤＶメッセージ）にシグナリングの情報を含めて報知する。無線端末装置３１は、ＲＮＧ−ＲＥＱメッセージにシグナリング応答を含めて無線基地局２２に送信する。
【００７９】
また、２回目以降のシグナリング（アイドルモードへの移行時およびアイドルモード中の両方のシグナリングを含む）では、データの種類の追加が可能であり、また、過去のシグナリングで指定したデータの種類の変更や削除も可能である。
【００８０】
図１０は、シグナリング要求メッセージの例を示す図である。シグナリング要求メッセージ４１は、上記ステップＳ１１で送信されるメッセージである。シグナリング要求メッセージ４１は、MS ID（６バイト）、Server Address（４バイト）、１以上のInclusion Requestを含む。
【００８１】
MS IDは、シグナリング対象の無線端末装置（無線端末装置３１）のＭＡＣアドレスである。Server Addressは、シグナリング要求メッセージ４１の送信元（企業サーバ１１）のＩＰアドレスである。Inclusion Requestは、アイドルモード中のデータ転送方法を指定した情報である。各Inclusion Requestは、Action Code（１バイト）、Condition（１バイト）、Value（２バイト）、Ingress Action（１バイト）、Egress Action（１バイト）、TLV Type（１バイト）を含む。
【００８２】
Action Codeは、基地局制御装置２１に要求する動作を示す値である。例えば、０ｘ００はAdd（転送テーブルへの追加）、０ｘ０１はDel（転送テーブルからの削除）、０ｘ０２はFlash & Add（転送テーブルに登録された内容の上書き）を意味する。Conditionは、転送テーブル３１２ａの「条件」に相当する。例えば、０ｘ０１は、下りリンク（ＤＬ）のデータタイプが一致すること、０ｘ０２はＤＬ通信ポート番号が一致すること、０ｘ０３はＤＬのＴＬＶが一致することを意味する。また、０ｘ１１は上りリンク（ＵＬ）のデータタイプが一致すること、０ｘ１２はＵＬ通信ポート番号が一致することを意味する。Valueは、転送テーブル３１２ａの「値」に相当する。
【００８３】
Ingress Actionは、制御メッセージの送信元（ＤＬでは基地局制御装置２１、ＵＬでは無線端末装置３１）に要求する動作を示す値である。例えば、０ｘ０１はＤＬ制御メッセージにＴＬＶを含めること、０ｘ０２はＤＬ受信データをデータ形式の変換を行わずに転送すること（ＤＬパススルー）を意味する。また、０ｘ１０はＲＮＧ−ＲＥＱメッセージＴＬＶを含めること、０ｘ１１はＵＬパススルーを意味する。
【００８４】
Egress Actionは、制御メッセージの宛先（ＤＬでは無線端末装置３１、ＵＬでは基地局制御装置２１）に要求する動作を示す値である。例えば、０ｘ００は保持しているデータの報告、０ｘ０１はＤＬ受信ＴＬＶを上位レイヤに通知すること、０ｘ０２はＤＬパススルーを意味する。また、０ｘ１０はＵＬレポートメッセージの生成、０ｘ１１はＵＬパススルーを意味する。TLV Typeは、転送テーブル２１１ａや転送テーブル３１２ａの「ＴＬＶタイプ」に相当する。
【００８５】
図１１は、Ｐａｔｈ＿Ｄｅｒｅｇ＿Ｒｅｑメッセージの例を示す第１の図である。Ｐａｔｈ＿Ｄｅｒｅｇ＿Ｒｅｑメッセージ４２は、上記ステップＳ１２で送信されるメッセージである。Ｐａｔｈ＿Ｄｅｒｅｇ＿Ｒｅｑメッセージ４２は、Version（１バイト）、Function Type（１バイト）、Message Type（５ビット）、Length（２バイト）、MS ID（６バイト）、Transaction ID（２バイト）、Destination Identifier TLV（４バイト）、Source Identifier TLV（４バイト）を含む。
【００８６】
Versionは、Ｐａｔｈ＿Ｄｅｒｅｇ＿Ｒｅｑメッセージ４２の版数であり、例えば、０ｘ０１に設定される。Function TypeおよびMessage Typeは、Ｐａｔｈ＿Ｄｅｒｅｇ＿Ｒｅｑメッセージ４２の機能や種類を示す値であり、例えば、Function Typeが３、Message Typeが２に設定される。Lengthは、以降のメッセージフィールドの長さである。MS IDは、無線端末装置３１のＭＡＣアドレス（８０：００：０１：Ａ０：０１：ＸＸ）である。Transaction IDは、基地局制御装置２１と無線基地局２２との間のトランザクションを識別する番号である。Destination Identifier TLVは、宛先ＩＰアドレス（１３０．ＸＸ．１．１０）であり、Source Identifier TLVは送信元ＩＰアドレス（１３０．ＸＸ．１．１）である。
【００８７】
図１２は、Ｐａｔｈ＿Ｄｅｒｅｇ＿Ｒｅｑメッセージの例を示す第２の図である。図１２に示した情報が、図１１の「TLVs」の項目に挿入される。Ｐａｔｈ＿Ｄｅｒｅｇ＿Ｒｅｑメッセージ４２は、Registration Type TLV（４バイト）、１以上のBS Info TLV、１以上のInclusion Request TLVを含む。
【００８８】
Registration Type TLVは、無線基地局２２と無線端末装置３１に要求する動作を示す値である。例えば、タイプ＝４は、無線アクセス網２０と無線端末装置３１の接続の解放（Network Exit）を意味する。BS Info TLVはBS ID（３バイト）を含む。BS IDは、Registration Type TLVで指定した動作を実行させる無線基地局のＩＤである。Inclusion Request TLVは、シグナリング要求メッセージ４１に含まれるInclusion Requestに対応する。
【００８９】
図１３は、ＤＲＥＧ−ＣＭＤメッセージの例を示す図である。ＤＲＥＧ−ＣＭＤメッセージ４３は上記ステップＳ１３で送信されるメッセージである。ＤＲＥＧ−ＣＭＤメッセージ４３は、Management Message Type（１バイト）、Action Code（１バイト）、Paging Information TLV（７バイト）、Paging Controller ID TLV（６バイト）、Idle Mode Retain Information TLV（１バイト）、１以上のInclusion Request TLVを含む。
【００９０】
Management Message Typeは、制御メッセージの種類を示す値であり、タイプ＝２９に設定される。Action Codeは、無線端末装置３１に実行させる動作を示す値である。例えば、０ｘ０５はアイドルモードへの移行を意味する。Paging Information TLVは、無線端末装置３１のアイドルモード中の動作を示す値である。例えば、ページングメッセージを受信する周期（無線フレーム数）、オフセット（無線フレーム番号）、ページンググループを示す値が設定される。なお、ページンググループは、呼び出し（ページング）の有無を効率的に判断できるようにするために無線端末装置を分類したグループである。
【００９１】
Paging Controller ID TLVは、アイドルモード中に接続情報（コンテキスト）を保持しておく装置のアドレスを示す。第２の実施の形態では、無線基地局２２のＩＤ（０ｘ０Ａ０ＢＸＸ）に設定される。Idle Mode Retain Information TLVは、アイドルモード中に保持しておくコンテキスト項目を示す情報である。Inclusion Request TLVは、Ｐａｔｈ＿Ｄｅｒｅｇ＿Ｒｅｑメッセージ４２に含まれるInclusion Request TLVに相当する。
【００９２】
図１４は、ＤＲＥＧ−ＲＥＱメッセージの例を示す図である。ＤＲＥＧ−ＲＥＱメッセージ４４は、上記ステップＳ１５で送信されるメッセージである。ＤＲＥＧ−ＲＥＱメッセージ４４は、Management Message Type（１バイト）、DREG Request Code（１バイト）、Idle Mode Retain Information TLV（１バイト）、１以上のInclusion Request TLVを含む。
【００９３】
Management Message Typeは、制御メッセージの種類を示す値であり、タイプ＝４９に設定される。DREG Request Codeは、無線端末装置３１が無線アクセス網２０との接続を解除する原因を示す値である。例えば、０ｘ０５は無線基地局２２側がアイドルモードへの移行を要求したことを意味する。
【００９４】
Idle Mode Retain Information TLVは、ＤＲＥＧ−ＣＭＤメッセージ４３に含まれるIdle Mode Retain Information TLVに相当する。Inclusion Request TLVは、ＤＲＥＧ−ＣＭＤメッセージ４３に含まれるInclusion Request TLVに、Result Code（１バイト）を付加したものに相当する。Result Codeは、転送テーブル３１２ａへの登録の成否を示す値であり、０ｘ００は失敗、０ｘ０１は成功を意味する。
【００９５】
図１５は、Ｐａｔｈ＿Ｄｅｒｅｇ＿Ｒｓｐメッセージの例を示す図である。Ｐａｔｈ＿Ｄｅｒｅｇ＿Ｒｓｐメッセージ４５は、ステップＳ１７で送信されるメッセージである。Ｐａｔｈ＿Ｄｅｒｅｇ＿Ｒｓｐメッセージ４５は、Registration Type TLV（４バイト）、BS ID（３バイト）、１以上のInclusion Request TLVを含む。
【００９６】
Registration Type TLVは、ＤＲＥＧ−ＲＥＱメッセージ４４を送信した無線端末装置３１が接続の解放を行った理由を示す値である。第２の実施の形態では、Ｐａｔｈ＿Ｄｅｒｅｇ＿Ｒｅｑメッセージ４２によって接続の解放が要求されていることから、Ｐａｔｈ＿Ｄｅｒｅｇ＿Ｒｅｑメッセージ４２と同様に、タイプ＝４に設定される。BS IDは、無線端末装置３１との接続の解放を行った無線基地局２２のＩＤ（０ｘ０Ａ０ＢＸＸ）である。Inclusion Request TLVは、ＤＲＥＧ−ＲＥＱメッセージ４４に含まれるInclusion Request TLVに相当する。
【００９７】
なお、Ｐａｔｈ＿Ｄｅｒｅｇ＿Ｒｓｐメッセージ４５のヘッダ部分のフォーマットは、図１１に示したＰａｔｈ＿Ｄｅｒｅｇ＿Ｒｅｑメッセージ４２のものと同様である。この場合に、Function Typeは３、Message Typeは３に設定される。Destination Identifier TLVは、Ｐａｔｈ＿Ｄｅｒｅｇ＿Ｒｓｐメッセージ４５の宛先である基地局制御装置２１のＩＰアドレス（１３０．ＸＸ．１．１）に設定される。Source Identifier TLVは、送信元である無線基地局２２のＩＰアドレス（１３０．ＸＸ．１．１０）に設定される。
【００９８】
図１６は、シグナリング応答メッセージの例を示す図である。シグナリング応答メッセージ４６は、上記ステップＳ１９で送信されるメッセージである。シグナリング応答メッセージ４６は、ＵＤＰ／ＩＰを用いて送信される。シグナリング応答メッセージ４６は、ＩＰヘッダ（２０バイト）、ＵＤＰヘッダ（８バイト）、Result Code（１バイト）、０以上のInclusion Requestを含む。
【００９９】
Result Codeは、シグナリングの成否を示す値であり、０ｘ００は失敗、０ｘ０１は成功を意味する。基地局制御装置２１は、Ｐａｔｈ＿Ｄｅｒｅｇ＿Ｒｅｑメッセージ４２を送信してから所定時間以内にＰａｔｈ＿Ｄｅｒｅｇ＿Ｒｓｐメッセージ４５を受信しない場合、シグナリングの失敗とみなしてシグナリング応答メッセージ４６を企業サーバ１１に送信する。シグナリング失敗の場合、シグナリング応答メッセージ４６にはInclusion Requestが含まれない。
【０１００】
Inclusion Requestは、Ｐａｔｈ＿Ｄｅｒｅｇ＿Ｒｓｐメッセージ４５に含まれるInclusion Request TLVに対応する。ただし、シグナリング応答メッセージ４６には、転送テーブル２１１ａおよび転送テーブル３１２ａへの登録に成功したもののみが含まれる。
【０１０１】
図１７は、第２の実施の形態の端末処理を示すフローチャートである。アイドルモードで動作している無線端末装置３１が、図１７に示す処理を実行する。
（ステップＳ１１１）  データ処理部３１３は、測定部３１１からデータを取得する。瞬間使用量などの各種のデータが、例えば、図６に示すタイミングで取得される。
【０１０２】
（ステップＳ１１２）  データ処理部３１３は、転送テーブル記憶部３１２に記憶された転送テーブル３１２ａを参照して、ステップＳ１１１で取得したデータが制御メッセージに含めて送信するデータか否か判断する。すなわち、取得したデータが、転送テーブル３１２ａに登録された何れかのレコードの（条件，値）に適合するか判断する。適合する場合、処理をステップＳ１１７に進める。適合しない場合、ステップＳ１１３に進める。
【０１０３】
（ステップＳ１１３）  通信制御部３１４は、無線通信部３１７を介して無線アクセス網２０に再接続する。接続の確立には、無線基地局２２が保持するコンテキストが使用される。これにより、無線端末装置３１は、アイドルモードからノーマルモードに戻る。
【０１０４】
（ステップＳ１１４）  データ送受信部３１６は、ステップＳ１１１で取得したデータを含むデータメッセージを生成する。そして、無線通信部３１７を介して無線基地局２２にデータメッセージを送信する。
【０１０５】
（ステップＳ１１５）  通信制御部３１４は、無線通信部３１７を介して無線アクセス網２０との接続を解放する手続きを行う。接続の解放の際には、無線基地局２２にコンテキストが保存される。
【０１０６】
（ステップＳ１１６）  無線端末装置３１は、再び、ノーマルモードからアイドルモードに移行する。すなわち、無線通信部３１７は、ＤＲＥＧ−ＣＭＤメッセージ４３で指定された周期およびタイミングでＭＯＢ＿ＰＡＧ−ＡＤＶメッセージを受信し、それ以外の時間は送受信処理を停止する動作を繰り返す。通信制御部３１４は、周期的に受信するＭＯＢ＿ＰＡＧ−ＡＤＶメッセージに基づいて、自装置宛ての呼び出しの有無を判断する。
【０１０７】
（ステップＳ１１７）  通信制御部３１４は、Location Updateの要求を示すＲＮＧ−ＲＥＱメッセージを生成する。ＲＮＧ−ＲＥＱメッセージには、ステップＳ１１１で取得したデータをＴＬＶとして挿入する。ＴＬＶタイプは、転送テーブル３１２ａに登録されているものを使用する。そして、次のＡｖａｉｌａｂｌｅ区間（送受信処理を行う区間）を待って、無線通信部３１７を介してＲＮＧ−ＲＥＱメッセージを送信する。
【０１０８】
このように、無線端末装置３１は、企業サーバ１１から指定された種類のデータについては、無線アクセス網２０に再接続せず、次に送信するＲＮＧ−ＲＥＱメッセージに含めて送信する。なお、複数の種類のデータが取得された場合、全てのデータが転送テーブル３１２ａに登録された何れかのレコードの（条件，値）に適合するときのみ、ＲＮＧ−ＲＥＱメッセージに含めて送信してもよい。すなわち、ＲＮＧ−ＲＥＱメッセージに含めて送信するのが好ましいデータとそうでないデータとが混在する場合、取得した全てデータを纏めてデータメッセージとして送信してもよい。
【０１０９】
図１８は、第２の実施の形態の基地局制御処理を示すフローチャートである。無線端末装置３１がアイドルモードで動作しているとき、基地局制御装置２１が図１８に示す処理を実行する。
【０１１０】
（ステップＳ１２１）  通信制御部２１２は、基幹回線通信部２１４を介して無線基地局２２からメッセージを受信する。
（ステップＳ１２２）  通信制御部２１２は、ステップＳ１２１で受信したメッセージが、Location Updateの要求を示すＬＵ＿Ｒｅｑメッセージであるか否か判断する。ＬＵ＿Ｒｅｑメッセージである場合、処理をステップＳ１２３に進める。それ以外の場合、処理をステップＳ１２５に進める。
【０１１１】
（ステップＳ１２３）  通信制御部２１２は、転送テーブル記憶部２１１に記憶された転送テーブル２１１ａを参照して、ステップＳ１２１で受信したＬＵ＿Ｒｅｑメッセージ中に、企業サーバ１１に転送するデータが含まれているか否か判断する。すなわち、ＬＵ＿Ｒｅｑメッセージに含まれるＴＬＶが、転送テーブル２１１ａに登録された何れかのレコードが示す条件に適合するか判断する。適合する場合、処理をステップＳ１２４に進める。適合しない場合、処理を終了する。
【０１１２】
（ステップＳ１２４）  通信制御部２１２は、ＬＵ＿ＲｅｑメッセージにＴＬＶとして挿入されているデータを含むレポートメッセージを生成する。そして、基幹回線通信部２１４を介して企業サーバ１１にレポートメッセージを送信する。
【０１１３】
（ステップＳ１２５）  通信制御部２１２は、ステップＳ１２１で受信したメッセージが、企業サーバ１１宛てのデータメッセージであるか否か判断する。データメッセージである場合、処理をステップＳ１２６に進める。それ以外の場合、処理を終了する。
【０１１４】
（ステップＳ１２６）  通信制御部２１２は、基幹回線通信部２１４を介して企業サーバ１１にデータメッセージを転送する。
このように、基地局制御装置２１は、企業サーバ１１から指定された種類のデータが、制御メッセージであるＬＵ＿Ｒｅｑメッセージに含まれている場合、データを抽出して企業サーバ１１に転送する。なお、上記説明では無線端末装置３１が送信したデータの転送方法を主に述べたが、ＬＵ＿Ｒｅｑメッセージを受信した基地局制御装置２１は、無線端末装置３１についてのLocation Update（位置登録の更新）を実行する。
【０１１５】
図１９は、第２の実施の形態の第１のデータ転送の流れを示すシーケンス図である。図１９のシーケンス例は、データをデータメッセージに含めて送信する場合を示している。
（ステップＳ２１）  無線端末装置３１は、転送テーブル３１２ａを参照し、取得したデータをＲＮＧ−ＲＥＱメッセージに含めずに送信すると判断する。
【０１１６】
（ステップＳ２２）  無線端末装置３１は、無線基地局２２との間で、無線アクセス網２０への再接続の手続きを実行する。具体的には、無線端末装置３１は、ＲＮＧ−ＲＥＱメッセージ、ＳＢＣ−ＲＥＱメッセージ、ＰＫＭ−ＲＥＱメッセージおよびＲＥＧ−ＲＥＱメッセージを順に送信する。無線基地局２２は、受信したメッセージの応答として、それぞれ、ＲＮＧ−ＲＳＰメッセージ、ＳＢＣ−ＲＳＰメッセージ、ＰＫＭ−ＲＳＰメッセージおよびＲＥＧ−ＲＳＰメッセージを順に送信する。これにより、無線端末装置３１はノーマルモードとして動作する。
【０１１７】
（ステップＳ２３）  無線端末装置３１は、企業サーバ１１宛てのデータメッセージを無線基地局２２に送信する。
（ステップＳ２４）  無線基地局２２は、無線端末装置３１から受信したデータメッセージを基地局制御装置２１に転送する。
【０１１８】
（ステップＳ２５）  基地局制御装置２１は、無線基地局２２から受信したデータメッセージを、企業ゲートウェイ１２を介して企業サーバ１１に転送する。
（ステップＳ２６）  無線端末装置３１は、データの送信がなくなると、無線基地局２２との間で、無線アクセス網２０との接続の解除手続きを実行する。具体的には、無線端末装置３１は、ＤＲＥＧ−ＲＥＱメッセージを無線基地局２２に送信する。無線基地局２２は、ＤＲＥＧ−ＣＭＤメッセージを無線端末装置３１に送信する。
【０１１９】
（ステップＳ２７）  無線端末装置３１は、アイドルモードとして動作する。なお、無線アクセス網２０側のステップＳ２４，Ｓ２５の処理と、無線端末装置３１側のステップＳ２６，Ｓ２７の処理とは、並列に実行することができる。
【０１２０】
図２０は、第２の実施の形態の第２のデータ転送の流れを示すシーケンス図である。図２０のシーケンス例は、データを制御メッセージに含めて送信する場合を示している。
（ステップＳ３１）  無線端末装置３１は、転送テーブル３１２ａを参照し、取得したデータをＲＮＧ−ＲＥＱメッセージに含めて送信すると判断する。
【０１２１】
（ステップＳ３２）  無線端末装置３１は、次にLocation Updateを実行するタイミングで、取得したデータをＴＬＶとしてＲＮＧ−ＲＥＱメッセージに含めて、無線基地局２２に送信する。なお、無線端末装置３１は、アイドルモードのまま（無線アクセス網２０への再接続の手続きをせずに）、ＲＮＧ−ＲＥＱメッセージを送信することができる。
【０１２２】
（ステップＳ３３）  無線基地局２２は、無線端末装置３１から受信したＲＮＧ−ＲＥＱメッセージに挿入されているＴＬＶを、ＬＵ＿Ｒｅｑメッセージに含めて基地局制御装置２１に送信する。すなわち、無線基地局２２は、無線端末装置３１が送信したＴＬＶをＲＮＧ−ＲＥＱメッセージからＬＵ＿Ｒｅｑメッセージに載せ替える。
【０１２３】
（ステップＳ３４）  基地局制御装置２１は、転送テーブル２１１ａを確認し、無線基地局２２から受信したＬＵ＿Ｒｅｑメッセージより、企業サーバ１１に転送するデータを抽出する。
【０１２４】
（ステップＳ３５）  基地局制御装置２１は、ステップＳ３４で抽出したデータを含むレポートメッセージを、企業ゲートウェイ１２を介して企業サーバ１１に送信する。
（ステップＳ３６）  基地局制御装置２１は、ＬＵ＿Ｒｅｑメッセージへの応答としてＬＵ＿Ｒｓｐメッセージを無線基地局２２に送信する。
【０１２５】
（ステップＳ３７）  無線基地局２２は、ＲＮＧ−ＲＥＱメッセージへの応答としてＲＮＧ−ＲＳＰメッセージを無線端末装置３１に送信する。なお、ステップＳ３４，Ｓ３５の処理とステップＳ３６，Ｓ３７の処理とは、並列に実行することができる。
【０１２６】
図２１は、ＲＮＧ−ＲＥＱメッセージの例を示す図である。ＲＮＧ−ＲＥＱメッセージ５１は、ステップＳ３２で送信されるメッセージである。ＲＮＧ−ＲＥＱメッセージ５１は、Management Message Type（１バイト）、Ranging Purpose Indication TLV（１バイト）、１以上のData TLV（各４バイト）を含む。
【０１２７】
Management Message Typeは、制御メッセージの種類を示す値であり、タイプ＝４に設定される。Ranging Purpose Indication TLVは、無線端末装置３１がＲＮＧ−ＲＥＱメッセージ５１を送信した目的を示す値である。Location Updateの要求は、最下位ビットを１に設定する。Data TLVは、シグナリングで指定されたＴＬＶタイプと企業サーバ１１に報告するデータとを含む。例えば、図８に示したレコードが転送テーブル３１２ａに登録されている場合、ＴＬＶタイプ＝２２１，データ＝１２８は、瞬間使用量の値が１２８であることを意味する。
【０１２８】
図２２は、ＬＵ＿Ｒｅｑメッセージの例を示す図である。ＬＵ＿Ｒｅｑメッセージ５２は、ステップＳ３３で送信されるメッセージである。ＬＵ＿Ｒｅｑメッセージ５２は、BS ID（３バイト）と１以上のData TLV（各４バイト）を含む。BS IDは、無線基地局２２のＩＤ（０ｘ０Ａ０ＢＸＸ）である。Data TLVは、ＲＮＧ−ＲＥＱメッセージ５１に含まれるData TLVに相当する。
【０１２９】
なお、ＬＵ＿Ｒｅｑメッセージ５２のヘッダ部分のフォーマットは、図１１に示したＰａｔｈ＿Ｄｅｒｅｇ＿Ｒｅｑメッセージ４２のものと同様である。この場合に、Function Typeは６、Message Typeは４に設定される。Destination Identifier TLVは、ＬＵ＿Ｒｅｑメッセージ５２の宛先である基地局制御装置２１のＩＰアドレス（１３０．ＸＸ．１．１）に設定される。Source Identifier TLVは、送信元である無線基地局２２のＩＰアドレス（１３０．ＸＸ．１．１０）に設定される。
【０１３０】
図２３は、レポートメッセージの例を示す図である。レポートメッセージ５３は、ステップＳ３５で送信されるメッセージである。レポートメッセージ５３は、ＵＤＰ／ＩＰを用いて送信される。レポートメッセージ５３は、ＩＰヘッダ（２０バイト）、ＵＤＰヘッダ（８バイト）、１以上のData TLV（各４バイト）を含む。Data TLVは、ＬＵ＿Ｒｅｑメッセージ５２に含まれるData TLVに相当する。
【０１３１】
このような第２の実施の形態に係る無線通信システムによれば、無線端末装置３１は、無線アクセス網２０への再接続の手続きを行わずにアイドルモードのまま、データを企業サーバ１１に送信できる。これにより、１回のデータ送信のために接続・解除の手続きを行うことを回避でき、無線リソースの消費を抑制できると共に、無線端末装置３１の消費電力を抑制できる。また、無線端末装置３１と無線基地局２２との間の接続確立が抑制されることにより、無線基地局２２はより多くの無端末装置を収容することができる。
【０１３２】
従って、無線端末装置３１から企業サーバ１１へのデータ送信を効率的に実行することができる。特に、間欠的に発生する比較的サイズの小さなデータを送信するために、アイドルモード中に送信する制御メッセージを利用することは、データの送信効率の点で有利である。なお、第２の実施の形態では、制御メッセージに含めて送信するデータの種類をシグナリングにより設定したが、予め静的に決めておいてもよい。その場合、基地局制御装置２１と無線端末装置３１との間のシグナリングを行わなくてもよい。
【０１３３】
［第３の実施の形態］
次に、第３の実施の形態について説明する。前述の第２の実施の形態との差異を中心に説明し、第２の実施の形態と同様の事項については説明を省略する。第３の実施の形態に係る無線通信システムでは、無線端末装置は、アイドルモード中に企業サーバから明示の要求を受けてデータを送信する。第３の実施の形態に係る無線通信システムは、図２〜５に示した第２の実施の形態に係る無線通信システムと同様の構成によって実現できる。以下、図２〜５と同様の符号を用いて、第３の実施の形態を説明する。
【０１３４】
図２４は、無線端末装置への動作指示を示す図である。第２の実施の形態で説明した通り、無線端末装置３１がアイドルモードで動作しているとき、無線基地局２２は周期的にページングメッセージ（ＭＯＢ＿ＰＡＧ−ＡＤＶメッセージ）を報知する。第３の実施の形態のＭＯＢ＿ＰＡＧ−ＡＤＶメッセージには、図２４に示す４通りのAction Code（２ビット）の何れかが含まれる。
【０１３５】
０ｂ００は、ＭＯＢ＿ＰＡＧ−ＡＤＶメッセージを受信する無線端末装置３１に、何の動作も要求しないことを意味する。０ｂ０１は、無線端末装置３１に、Location Updateのために、アイドルモードのままＲＮＧ−ＲＥＱメッセージを送信するよう要求することを意味する。０ｂ１０は、無線アクセス網２０への再接続を行うよう要求することを意味する。０ｂ１１は、無線端末装置３１が取得した瞬間使用量などのデータを企業サーバ１１に報告するよう要求することを意味する。
【０１３６】
なお、ＩＥＥＥ８０２．１６ｅの仕様では、ＭＯＢ＿ＰＡＧ−ＡＤＶメッセージに含めることができるAction Codeとして０ｂ００，０ｂ０１，０ｂ１０が定義されているが、０ｂ１１は未定義（予約状態）である。第３の実施の形態では、未定義の０ｂ１１を、企業サーバ１１から無線端末装置３１へのレポート要求に使用している。
【０１３７】
図２５は、第３の実施の形態の端末処理を示すフローチャートである。アイドルモードで動作している無線端末装置３１が、図２５に示す処理を実行する。
（ステップＳ１３１）  データ処理部３１３は、測定部３１１からデータを取得し、無線端末装置３１に設けられたバッファメモリに、取得したデータを一時的に格納する。
【０１３８】
（ステップＳ１３２）  通信制御部３１４は、無線通信部３１７を介して無線基地局２２が報知したページングメッセージ（ＭＯＢ＿ＰＡＧ−ＡＤＶメッセージ）を受信する。ＭＯＢ＿ＰＡＧ−ＡＤＶメッセージの受信は、Ａｖａｉｌａｂｌｅ区間で行う。
【０１３９】
（ステップＳ１３３）  通信制御部３１４は、ステップＳ１３２で受信したＭＯＢ＿ＰＡＧ−ＡＤＶメッセージが、無線アクセス網２０への再接続の指示を含むか、すなわち、Action Codeとして０ｂ１０が設定されているか判断する。再接続の指示を含む場合、処理をステップＳ１３４に進める。含まない場合、処理をステップＳ１３８に進める。
【０１４０】
（ステップＳ１３４）  通信制御部３１４は、無線通信部３１７を介して無線アクセス網２０に再接続する。これにより、無線端末装置３１は、ノーマルモードに戻る。
（ステップＳ１３５）  データ送受信部３１６は、バッファメモリに格納されているデータを取得し、データメッセージを生成する。そして、無線通信部３１７を介して無線基地局２２にデータメッセージを送信する。
【０１４１】
（ステップＳ１３６）  通信制御部３１４は、無線通信部３１７を介して無線アクセス網２０との接続を解放しアイドルモードへ移行する手続きを行う。
（ステップＳ１３７）  無線端末装置３１は、再びアイドルモードに移行する。すなわち、無線通信部３１７は、アイドルモードへの移行時に指定された周期およびタイミングでＭＯＢ＿ＰＡＧ−ＡＤＶメッセージを受信し、他の時間は送受信処理を停止する。
【０１４２】
（ステップＳ１３８）  通信制御部３１４は、ステップＳ１３２で受信したＭＯＢ＿ＰＡＧ−ＡＤＶメッセージが、レポート要求を含むか、すなわち、Action Codeとして０ｂ１１が設定されているか判断する。レポート要求を含む場合、処理をステップＳ１３９に進める。含まない場合、処理をステップＳ１４１に進める。
【０１４３】
（ステップＳ１３９）  データ処理部３１３は、バッファメモリに格納されているデータが、転送テーブル３１２ａに登録された何れかのレコードの（条件，値）に適合するか判断する。適合する場合、処理をステップＳ１４０に進める。適合しない場合、処理をステップＳ１３４進め、無線アクセス網２０に再接続してデータを送信する。
【０１４４】
なお、第２の実施の形態で述べたように、複数の種類のデータがバッファメモリに格納されている場合、全てのデータが転送テーブル３１２ａに登録された何れかのレコードの（条件，値）に適合するときのみ、処理をステップＳ１４０に進めるようにしてもよい。
【０１４５】
（ステップＳ１４０）  通信制御部３１４は、ＲＮＧ−ＲＥＱメッセージを生成する。ＲＮＧ−ＲＥＱメッセージには、バッファメモリに格納されているデータがＴＬＶとして挿入される。そして、無線通信部３１７を介してＲＮＧ−ＲＥＱメッセージを送信する。
【０１４６】
（ステップＳ１４１）  通信制御部３１４は、ステップＳ１３２で受信したＭＯＢ＿ＰＡＧ−ＡＤＶメッセージが、Location Updateの指示を含むか、すなわち、Action Codeとして０ｂ０１が設定されているか判断する。Location Updateの指示を含む場合、処理をステップＳ１４２に進める。含まない場合、すなわち、Action Codeとして０ｂ００が設定されている場合、処理を終了してアイドルモードを継続する。
【０１４７】
（ステップＳ１４２）  通信制御部３１４は、ＲＮＧ−ＲＥＱメッセージを生成する。そして、無線通信部３１７を介してＲＮＧ−ＲＥＱメッセージを送信する。なお、このＲＮＧ−ＲＥＱメッセージには、バッファメモリに格納されているデータは挿入されない。
【０１４８】
このように、無線端末装置３１は、無線アクセス網２０への再接続の指示を受けると、ノーマルモードに戻って保持しているデータを送信する。レポート要求を受けると、保持しているデータの種類に応じて、制御メッセージに含めて送信するか、または、データメッセージとして送信する。一方、Location Updateの指示を受けると、保持しているデータは送信せず、次のデータ送信の機会（例えば、次にＭＯＢ＿ＰＡＧ−ＡＤＶメッセージを受信するタイミング）を待つ。
【０１４９】
なお、第３の実施の形態では、無線端末装置３１は、測定部３１１から収集したデータをバッファメモリに格納しておくこととしたが、ＭＯＢ＿ＰＡＧ−ＡＤＶメッセージを受信した後に測定部３１１からデータを収集してもよい。また、図２５のフローチャートにおいて、ステップＳ１３３，Ｓ１３８，Ｓ１４１の判断は、順不同で行ってもよい。
【０１５０】
ところで、第３の実施の形態に係る無線通信システムにおいても、第２の実施の形態と同様、図９に示すシグナリングが行われ、図７，８に示すデータ構造の転送テーブル２１１ａ，３１２ａにレコードが登録される。
【０１５１】
ただし、第３の実施の形態では、企業サーバ１１からのレポート要求に応じてデータを送信する処理を表現するため、転送条件の候補が拡張される。具体的には、シグナリング要求メッセージ４１の「Condition」と転送テーブル３１２ａの「条件」として、０ｘ０５（Action CodeがValueに一致する）という値が設定され得る。このとき、データ送信時にＴＬＶタイプを設定しない場合には、転送テーブル３１２ａの「ＴＬＶタイプ」の値は０（ゼロ）に設定すればよい。
【０１５２】
図２６は、第３の実施の形態の第１のデータ転送の流れを示すシーケンス図である。図２６のシーケンス例は、データをデータメッセージに含めて送信する場合を示している。
（ステップＳ４１）  企業サーバ１１は、無線端末装置３１からデータを収集したい場合、レポート要求メッセージを基地局制御装置２１に送信する。レポート要求メッセージには、無線端末装置３１のＭＡＣアドレスが含まれる。
【０１５３】
（ステップＳ４２）  基地局制御装置２１は、企業サーバ１１からレポート要求メッセージを受信すると、次に無線端末装置３１へのページングが行われるタイミング（次にＡｖａｉｌａｂｌｅ区間になるタイミング）を待って、制御メッセージであるＰａｇｉｎｇ＿Ａｎｎｏｕｎｃｅメッセージを無線基地局２２に送信する。このＰａｇｉｎｇ＿Ａｎｎｏｕｎｃｅメッセージには、レポート要求を示すAction Code（０ｂ１１）が含まれる。
【０１５４】
（ステップＳ４３）  無線基地局２２は、基地局制御装置２１からＰａｇｉｎｇ＿Ａｎｎｏｕｎｃｅメッセージを受信すると、ＭＯＢ＿ＰＡＧ−ＡＤＶメッセージを報知する。ＭＯＢ＿ＰＡＧ−ＡＤＶメッセージには、Action Codeと無線端末装置３１のＭＡＣアドレスのハッシュ値とが含まれる。
【０１５５】
（ステップＳ４４）  無線端末装置３１は、ＭＯＢ＿ＰＡＧ−ＡＤＶメッセージを受信すると、ＭＡＣアドレスのハッシュ値から自装置に対するページングを検知する。また、Action Codeおよび転送テーブル３１２ａに基づいて、保持しているデータをＲＮＧ−ＲＥＱメッセージに含めずに送信すると判断する。
【０１５６】
（ステップＳ４５）  無線端末装置３１は、無線基地局２２との間で、無線アクセス網２０への再接続の手続きを実行する。具体的には、無線端末装置３１は、ＲＮＧ−ＲＥＱメッセージ、ＳＢＣ−ＲＥＱメッセージ、ＰＫＭ−ＲＥＱメッセージおよびＲＥＧ−ＲＥＱメッセージを順に送信する。無線基地局２２は、ＲＮＧ−ＲＳＰメッセージ、ＳＢＣ−ＲＳＰメッセージ、ＰＫＭ−ＲＳＰメッセージおよびＲＥＧ−ＲＳＰメッセージを順に送信する。これにより、無線端末装置３１はノーマルモードとして動作する。
【０１５７】
（ステップＳ４６）  無線端末装置３１は、企業サーバ１１宛てのデータメッセージを無線基地局２２に送信する。
（ステップＳ４７）  無線基地局２２は、無線端末装置３１から受信したデータメッセージを基地局制御装置２１に転送する。
【０１５８】
（ステップＳ４８）  基地局制御装置２１は、無線基地局２２から受信したデータメッセージを、企業ゲートウェイ１２を介して企業サーバ１１に転送する。
（ステップＳ４９）  無線端末装置３１は、無線基地局２２との間で、無線アクセス網２０との接続の解除手続きを実行する。具体的には、無線端末装置３１は、ＤＲＥＧ−ＲＥＱメッセージを無線基地局２２に送信する。無線基地局２２は、ＤＲＥＧ−ＣＭＤメッセージを無線端末装置３１に送信する。
【０１５９】
（ステップＳ５０）  無線端末装置３１は、アイドルモードとして動作する。なお、無線アクセス網２０側のステップＳ４７，Ｓ４８の処理と、無線端末装置３１側のステップＳ４９，Ｓ５０の処理とは、並列に実行することができる。
【０１６０】
図２７は、第３の実施の形態の第２のデータ転送の流れを示すシーケンス図である。図２７のシーケンス例は、データを制御メッセージに含めて送信する場合を示している。
（ステップＳ５１）  企業サーバ１１は、上記ステップＳ４１と同様に、レポート要求メッセージを基地局制御装置２１に送信する。
【０１６１】
（ステップＳ５２）  基地局制御装置２１は、上記ステップＳ４２と同様に、次に無線端末装置３１へのページングが行われるタイミングを待ってＰａｇｉｎｇ＿Ａｎｎｏｕｎｃｅメッセージを無線基地局２２に送信する。
【０１６２】
（ステップＳ５３）  無線基地局２２は、上記ステップＳ４３と同様に、ＭＯＢ＿ＰＡＧ−ＡＤＶメッセージを報知する。
（ステップＳ５４）  無線端末装置３１は、ＭＯＢ＿ＰＡＧ−ＡＤＶメッセージを受信すると、ＭＡＣアドレスのハッシュ値から自装置に対するページングを検知する。また、Action Codeおよび転送テーブル３１２ａに基づいて、保持しているデータをＲＮＧ−ＲＥＱメッセージに含めて送信すると判断する。
【０１６３】
（ステップＳ５５）  無線端末装置３１は、保持しているデータをＴＬＶとしてＲＮＧ−ＲＥＱメッセージに含めて、無線基地局２２に送信する。
（ステップＳ５６）  無線基地局２２は、無線端末装置３１から受信したＲＮＧ−ＲＥＱメッセージに挿入されているＴＬＶを、ＬＵ＿Ｒｅｑメッセージに含めて基地局制御装置２１に送信する。
【０１６４】
（ステップＳ５７）  基地局制御装置２１は、転送テーブル２１１ａを確認し、無線基地局２２から受信したＬＵ＿Ｒｅｑメッセージより、企業サーバ１１に転送するデータを抽出する。
【０１６５】
（ステップＳ５８）  基地局制御装置２１は、ステップＳ５７で抽出したデータを含むレポートメッセージを、企業ゲートウェイ１２を介して企業サーバ１１に送信する。
（ステップＳ５９）  基地局制御装置２１は、ＬＵ＿Ｒｅｑメッセージへの応答としてＬＵ＿Ｒｓｐメッセージを無線基地局２２に送信する。
【０１６６】
（ステップＳ６０）  無線基地局２２は、ＲＮＧ−ＲＥＱメッセージへの応答としてＲＮＧ−ＲＳＰメッセージを無線端末装置３１に送信する。なお、ステップＳ５７，Ｓ５８の処理とステップＳ５９，Ｓ６０の処理とは、並列に実行することができる。
【０１６７】
図２８は、ＭＯＢ＿ＰＡＧ−ＡＤＶメッセージの例を示す図である。ＭＯＢ＿ＰＡＧ−ＡＤＶメッセージ５４は、上記ステップＳ４３，Ｓ５３で送信されるメッセージである。ＭＯＢ＿ＰＡＧ−ＡＤＶメッセージ５４は、Management Message Type（１バイト）、Number of Paging Group IDs（１バイト）、１以上のPaging Group ID（各２バイト）、Number of MACs（１バイト）、１以上のMAC Address Hash（各３バイト）、１以上のAction Code（各２ビット）を含む。
【０１６８】
Management Message Typeは、制御メッセージの種類を示す値であり、タイプ＝６１に設定される。Number of Paging Group IDsは、ページング対象のページンググループの数である。Paging Group IDは、ページング対象のページンググループの識別子である。無線基地局２２は複数のページンググループに属することができ、同一タイミングで複数のページンググループについてのページングを行う場合、複数のPaging Group IDが列挙される。Number of MACsは、ページング対象の無線端末装置の数である。MAC Address Hashは、ページング対象の無線端末装置のＭＡＣアドレスから得られるハッシュ値である。Action Codeは、図２４に示したものに相当する。
【０１６９】
このような第３の実施の形態に係る無線通信システムによれば、第２の実施の形態と同様に、無線端末装置３１から企業サーバ１１へのデータ送信を効率的に実行することができる。また、企業サーバ１１が、無線端末装置３１からデータを収集するタイミングを指定することができ、データ収集を柔軟に行うことができる。
【０１７０】
なお、第２の実施の形態の方法と第３の実施の形態の方法とを組み合わせて使用することも可能である。例えば、ある種類のデータは、無線端末装置３１が周期的に企業サーバ１１に送信し、他の種類のデータは、無線端末装置３１が企業サーバ１１からの要求を待って送信するようにしてもよい。また、企業サーバ１１は、シグナリング時に指定したタイミングと異なるタイミングで臨時にデータを収集する場合に、第３の実施の形態の方法を用いることもできる。
【０１７１】
［第４の実施の形態］
次に、第４の実施の形態について説明する。前述の第２，第３の実施の形態との差異を中心に説明し、第２，第３の実施の形態と同様の事項については説明を省略する。第４の実施の形態に係る無線通信システムでは、無線端末装置は、パケット形式にカプセル化したデータを制御メッセージに含めて送信する。第４の実施の形態に係る無線通信システムは、図２〜５に示した第２の実施の形態に係る無線通信システムと同様の構成によって実現できる。以下、図２〜５と同様の符号を用いて、第４の実施の形態を説明する。
【０１７２】
また、第４の実施の形態に係る無線通信システムにおいても、第２，第３の実施の形態と同様に、図９に示すシグナリングが行われ、図７，８に示すデータ構造の転送テーブル２１１ａ，３１２ａにレコードが登録される。ただし、第４の実施の形態では、シグナリングにおいて、企業サーバ１１から基地局制御装置２１に、以下に説明するシグナリング要求メッセージ４１ａが送信される。
【０１７３】
図２９は、シグナリング要求メッセージの他の例を示す図である。シグナリング要求メッセージ４１ａは、MS ID（６バイト）、Server Address（４バイト）、Action Code（１バイト）、１以上のInclusion Requestを含む。第２の実施の形態で説明したシグナリング要求メッセージ４１と異なり、Action Codeが更に含まれている。Action Codeは、シグナリング時にアイドルモードへの移行を行うか否かを示す値である。０はシグナリングとアイドルモードへの移行の実行を意味し、１はシグナリングのみの実行を意味する。
【０１７４】
このようなシグナリングによって、転送テーブル２１１ａ，３１２ａにレコードが登録される。このとき、第４の実施の形態では、転送するメッセージをそのままＴＬＶに含めて転送すること（パススルー）に対応するレコードが、転送テーブル２１１ａ，３１２ａに登録される。
【０１７５】
例えば、無線端末装置３１の転送テーブル３１２ａには、条件が０ｘ１２、値が０ｘ００、アクションが０ｘ１１というレコードが登録され得る。これは、データ処理部３１３が出力したデータメッセージの通信ポート番号が、０という特殊な番号である場合、生成したデータメッセージのフォーマットを変えずにＲＮＧ−ＲＥＱメッセージにピギーバック（PiggyBack）してデータパケットを送信することを意味する。
【０１７６】
また、基地局制御装置２１の転送テーブル２１１ａには、方向がＤＬ、アクションが０ｘ０２というレコードや、方向がＵＬ、アクションが０ｘ１１というレコードが登録され得る。前者は、基地局制御装置２１が、企業サーバ１１から受信したＩＰパケットに含まれるメッセージを、フォーマットを変えずにＴＬＶとして無線基地局２２に転送すること（ＤＬパススルー）を意味する。後者は、無線基地局２２から受信したデータメッセージを含むＴＬＶからデータメッセージを取り出し、ＩＰパケットとして企業サーバ１１に転送すること（ＵＬパススルー）を意味する。
【０１７７】
なお、無線端末装置３１が、ＲＮＧ−ＲＥＱメッセージにデータメッセージを挿入する場合、データ処理部３１３によるデータメッセージの生成と通信制御部３１４によるＲＮＧ−ＲＥＱメッセージの生成との間に、ＴＣＰ（Transmission Control Protocol），ＵＤＰ，ＩＰなどの通信レイヤの処理を介在させてもよい。また、このような通信レイヤの処理を介在させず、データ処理部３１３がＭＡＣレイヤと直接連携できるようにしてもよい。
【０１７８】
図３０は、第４の実施の形態のデータ転送の流れを示すシーケンス図である。
（ステップＳ６１）  企業サーバ１１は、レポート要求メッセージを基地局制御装置２１に送信する。このレポート要求メッセージは、ＵＤＰ／ＩＰのパケットとして送信される。
【０１７９】
（ステップＳ６２）  基地局制御装置２１は、次に無線端末装置３１へのページングが行われるタイミングを待ってＰａｇｉｎｇ＿Ａｎｎｏｕｎｃｅメッセージを無線基地局２２に送信する。このＰａｇｉｎｇ＿Ａｎｎｏｕｎｃｅメッセージには、ＵＤＰ／ＩＰパケットのデータとして含まれるレポート要求メッセージが、ＴＬＶとして挿入される。
【０１８０】
（ステップＳ６３）  無線基地局２２は、ＭＯＢ＿ＰＡＧ−ＡＤＶメッセージを報知する。このＭＯＢ＿ＰＡＧ−ＡＤＶメッセージには、Ｐａｇｉｎｇ＿Ａｎｎｏｕｎｃｅメッセージに含まれるＴＬＶ（レポート要求メッセージ）が挿入される。
【０１８１】
（ステップＳ６４）  無線端末装置３１は、無線基地局２２から受信したＭＯＢ＿ＰＡＧ−ＡＤＶメッセージより、カプセル化されたレポート要求メッセージを抽出する。
（ステップＳ６５）  無線端末装置３１は、転送テーブル３１２ａを参照し、保持しているデータをメッセージ化してＲＮＧ−ＲＥＱメッセージに含めて送信すると判断する。
【０１８２】
（ステップＳ６６）  無線端末装置３１は、保持しているデータからデータメッセージを生成する。そして、生成したデータメッセージを、ＴＬＶとしてＲＮＧ−ＲＥＱメッセージに含めて、無線基地局２２に送信する（PiggyBack送信）。
【０１８３】
（ステップＳ６７）  無線基地局２２は、無線端末装置３１から受信したＲＮＧ−ＲＥＱメッセージに挿入されているＴＬＶ（カプセル化されたデータ）を、ＬＵ＿Ｒｅｑメッセージに含めて基地局制御装置２１に送信する。
【０１８４】
（ステップＳ６８）  基地局制御装置２１は、転送テーブル２１１ａを確認し、無線基地局２２から受信したＬＵ＿Ｒｅｑメッセージより、企業サーバ１１に転送するデータメッセージを抽出する。
【０１８５】
（ステップＳ６９）  基地局制御装置２１は、ステップＳ６８で抽出したデータメッセージから、ＵＤＰ／ＩＰパケットを生成する。そして生成したパケットを、企業ゲートウェイ１２を介して企業サーバ１１に送信する。
【０１８６】
（ステップＳ７０）  基地局制御装置２１は、ＬＵ＿Ｒｅｑメッセージへの応答としてＬＵ＿Ｒｓｐメッセージを無線基地局２２に送信する。
（ステップＳ７１）  無線基地局２２は、ＲＮＧ−ＲＥＱメッセージへの応答としてＲＮＧ−ＲＳＰメッセージを無線端末装置３１に送信する。なお、ステップＳ６８，Ｓ６９の処理とステップＳ７０，Ｓ７１の処理とは、並列に実行することができる。
【０１８７】
なお、上記説明では、企業サーバ１１から無線端末装置３１へのレポート要求と、無線端末装置３１から企業サーバ１１へのデータの両方を、カプセル化して送信しているが、何れか一方のみをカプセル化して送信してもよい。そのような振る舞いは、基地局制御装置２１と無線端末装置３１との間のシグナリングにより設定することができる。
【０１８８】
このような第４の実施の形態に係る無線通信システムによれば、第２の実施の形態と同様に、無線端末装置３１から企業サーバ１１へのデータ送信を効率的に実行することができる。また、上位レイヤでは、データを制御メッセージに含めて送信するかデータメッセージとして送信するかを意識せずに、データパケットを処理することができ、上位レイヤのパケット処理を簡潔化することができる。
【０１８９】
上記については単に本発明の原理を示すものである。更に、多数の変形、変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０１９０】
１  無線端末装置
１ａ  データ処理部
１ｂ  送信部
２  通信装置
２ａ  受信部
２ｂ  通信制御部
３  制御メッセージ
【図１】
0005505496.tif 000002
【図２】
0005505496.tif 000003
【図３】
0005505496.tif 000004
【図４】
0005505496.tif 000005
【図５】
0005505496.tif 000006
【図６】
0005505496.tif 000007
【図７】
0005505496.tif 000008
【図８】
0005505496.tif 000009
【図９】
0005505496.tif 000010
【図１０】
0005505496.tif 000011
【図１１】
0005505496.tif 000012
【図１２】
0005505496.tif 000013
【図１３】
0005505496.tif 000014
【図１４】
0005505496.tif 000015
【図１５】
0005505496.tif 000016
【図１６】
0005505496.tif 000017
【図１７】
0005505496.tif 000018
【図１８】
0005505496.tif 000019
【図１９】
0005505496.tif 000020
【図２０】
0005505496.tif 000021
【図２１】
0005505496.tif 000022
【図２２】
0005505496.tif 000023
【図２３】
0005505496.tif 000024
【図２４】
0005505496.tif 000025
【図２５】
0005505496.tif 000026
【図２６】
0005505496.tif 000027
【図２７】
0005505496.tif 000028
【図２８】
0005505496.tif 000029
【図２９】
0005505496.tif 000030
【図３０】
0005505496.tif 000031